(57)【要約】  【課題】構成が容易で、鉛直方向ではない斜め方向に明いている把持金物の段付凹部に固定した場合でも、鉛直方向の力に折れ曲がる虞が小さい簡易吊り金具を提供する。  【解決手段】セグメント１に埋め込んで取り付けられた把持金物２に係着して被懸吊物を吊り下げる簡易吊り金具３において、把持金物２は、段付穴状に形成された段付凹部２ｃを有し、簡易吊り金具３は、第１のアーム３１と第２のアーム３２が軸部３３を支点としてはさみ型に交差する把持部を備え、把持部は、第１のアームの先端部３１ａと第２のアームの先端部３２ａとがなす先端部間の幅寸法が、第１，第２のアーム３１，３２を開いて交差したとき最小となり、第１，第２のアーム３１，３２を閉じて重ねたときに最大となり、第１，第２のアーム３１，３２を開いて交差した状態で段付凹部２ｃに挿入し、第１，第２のアーム３１，３２を閉じて重ねた状態で段付凹部２ｃに係着することを特徴とする。【選択図】  図１
2006214186.tif 000002
【特許請求の範囲】
【請求項１】
セグメントに埋め込んで取り付けられた把持金物に係着して被懸吊物を吊り下げる簡易吊り金具において、
前記把持金物は、その内部形状が内部径よりも入口径が小さい段付穴状に形成された段付凹部を有し、
前記簡易吊り金具は、
第１のアームと第２のアームが軸部を支点としてはさみ型に交差する把持部を備え、
前記把持部は、前記第１のアームの先端部と前記第２のアームの先端部とがなす先端部間の幅寸法が、前記第１，第２のアームを開いて交差したとき最小となり、前記第１，第２のアームを閉じて重ねたときに最大となり、
前記第１，第２のアームを開いて交差した状態で、それぞれの先端部を前記把持金物の段付凹部に挿入し、前記第１，第２のアームを閉じて重ねた状態で前記それぞれの先端部を前記把持金物の段付凹部に係着する
ことを特徴とする簡易吊り金具。
【請求項２】
前記第１のアームと前記第２のアームは、前記被懸吊物を吊り下げる際に連結する連結孔をそれぞれ有し、
それぞれの前記連結孔の中心は、前記第１，第２のアームを閉じて重ねたときに一致する
ことを特徴とする請求項１に記載の簡易吊り金具。
【請求項３】
前記第１のアームと前記第２のアームは、前記第１，第２のアームを閉じて重ねたときに前記段付凹部の入口部分と接合する緩衝部材をそれぞれ設けた
ことを特徴とする請求項１又は２に記載の簡易吊り金具。
【発明の詳細な説明】
【技術分野】
【０００１】
本発明は、主にシールド工法によりトンネルの内壁を形成する鋼殻製コクリートのセグメントに係着して被懸吊物を吊り下げる簡易吊り金具に関する。
【背景技術】
【０００２】
シールド工法により掘削されて行くトンネルの内壁を形成する鋼殻製コクリートのセグメントは、図５に示すように、セグメント１のほぼ中央部に把持金物２がコンクリート内壁１ａに埋め込まれた状態で取り付けられている。
【０００３】
この把持金物２は、トンネルの内壁（セグメント）側から吊り金具を介して重量物を吊り上げる時に、用いられる。
【０００４】
この把持金物２は、図６の断面図に示すように、その内部形状が内部２ｂの穴径よりも入口部２ａの穴径が小さい段付穴状に形成された段付凹部２ｃを有している。そして、この段付凹部２ｃを利用して吊り金具をセグメント１に係着させる。
【０００５】
従来の吊り金具６０は、図７に示すように、金具本体６１と、金具本体６１の中間部に設けられたレバー６２と、金具本体６１の先端部に設けられ、レバー６２操作によって内側あるいは外側に回動自在である爪部６３と、を備えている。また、吊り金具６０は、その後端部に重量物を吊り下げる際に連結する連結孔６４を有している。
【０００６】
この吊り金具６０において、爪部６３は、レバー６２が図７の下側に移動しているときは内側に閉じて重ねた状態となり、レバー６２が図７の上側に移動しているときは外側に開いて交差した状態となるように構成されている。
【０００７】
そして、吊り金具６０は、爪部６３を閉じて重ねた状態でセグメント１の把持金物２の段付凹部２ｃに挿入した後、レバー６２操作によって爪部６３を外側に開いて把持金物２と係着する。吊り金具６０がセグメント１側に係着すれば、連結孔６４にチェーンブロックなどを取り付けて重量物を吊る。
【発明の開示】
【発明が解決しようとする課題】
【０００８】
ところで、従来の吊り金具６０は、レバー６２操作によって爪部６３を回動させて把持金物２と固定／解除する装置（図７参照）を内蔵しているために、装置自体の構造が複雑かつ嵩張るものとなると共に、製作コストが高くなるといった問題があった。また、上記装置を内蔵するため金具本体６１の丈が長くなることが多い。そして、把持金物２の段付凹部２ｃが鉛直方向ではない斜め方向に明いている場合は、吊り金具６０が斜め方向に固定されるので、吊る際に鉛直方向に力がかかると、金具本体６１が折れ曲がる虞がある。
【０００９】
本発明は、このような問題点を解決するためになされたものであり、構成が容易で、鉛直方向ではない斜め方向に明いている把持金物の段付凹部に固定した場合でも、鉛直方向の力に折れ曲がる虞が小さい簡易吊り金具を提供することを技術的課題とする。
【課題を解決するための手段】
【００１０】
本発明は、前述の課題を解決するために、以下の手段を採用した。
すなわち、本発明の簡易吊り金具は、
セグメントに埋め込んで取り付けられた把持金物に係着して被懸吊物を吊り下げる簡易
吊り金具において、
前記把持金物は、その内部形状が内部径よりも入口径が小さい段付穴状に形成された段付凹部を有し、
前記簡易吊り金具は、
第１のアームと第２のアームが軸部を支点としてはさみ型に交差する把持部を備え、
前記把持部は、前記第１のアームの先端部と前記第２のアームの先端部とがなす先端部間の幅寸法が、前記第１，第２のアームを開いて交差したとき最小となり、前記第１，第２のアームを閉じて重ねたときに最大となり、
前記第１，第２のアームを開いて交差した状態で、それぞれの先端部を前記把持金物の段付凹部に挿入し、前記第１，第２のアームを閉じて重ねた状態で前記それぞれの先端部を前記把持金物の段付凹部に係着する
ことを特徴とする。
【００１１】
また、本発明の簡易吊り金具において、
前記第１のアームと前記第２のアームは、前記被懸吊物を吊り下げる際に連結する連結孔をそれぞれ有し、
それぞれの前記連結孔の中心は、前記第１，第２のアームを閉じて重ねたときに一致する
ことを特徴とする。
【００１２】
更に、本発明の簡易吊り金具において、
前記第１のアームと前記第２のアームは、前記第１，第２のアームを閉じて重ねたときに前記段付凹部の入口部分と接合する緩衝部材をそれぞれ設けた
ことを特徴とする。
【発明の効果】
【００１３】
本発明によれば、簡易吊り金具をはさみ型としその先端部を雌型の把持金物の段付凹部で完全に拡張し係着するといった簡単で丈を短くできる構成にしたことにより、構成が容易で、鉛直方向ではない斜め方向に明いている把持金物の段付凹部に固定した場合でも、鉛直方向の力に折れ曲がる虞が小さい簡易吊り金具を提供することができる。
【００１４】
また、本発明によれば、被懸吊物を吊り下げる際に連結する連結孔の中心が、第１，第２のアームを閉じて重ねたときに一致するように構成したことにより、それぞれの先端部を雌型の把持金物の段付凹部で拡張して係着する際の位置決めが容易になる。また、重ねて一致した連結孔にシャックル等の連結具の軸部を差し込むことによって、第１，第２のアームが閉じた状態から交差する状態に広がるのを防止することができる。
【００１５】
更に、本発明によれば、第１，第２のアーム側の緩衝部材が、第１，第２のアームを閉じて重ねたときに段付凹部の入口部分と接合するように構成したことにより、鉛直方向ではない斜め方向に明いている把持金物の段付凹部に固定した場合でも、鉛直方向の力による把持金物側の損傷を防止することができる。
【発明を実施するための最良の形態】
【００１６】
以下に図面を参照して、この発明を実施するための最良の形態を例示的に詳しく説明する。
すなわち、この実施の形態に係る簡易吊り金具３は、図１に示すように、セグメント１に埋め込んで取り付けられた把持金物２に係着して被懸吊物（図示せず）を吊り下げる簡易吊り金具である。
【００１７】
セグメント１は、シールド工法により掘削されて行くトンネルの内壁を形成する鋼殻製
コクリートのセグメントである。
【００１８】
把持金物２は、図５に示すように、セグメント１のほぼ中央部に把持金物２がコンクリート内壁１ａに埋め込まれた状態で取り付けられている。そして、把持金物２は、トンネルの内壁（セグメント１）側からこの実施の形態に係る簡易吊り金具３を介して被懸吊物を吊り上げる時に、用いられる。
【００１９】
この把持金物２は、図６の断面図に示すように、その内部形状が内部２ｂの穴径よりも入口部２ａの穴径が小さい段付穴状に形成された段付凹部２ｃを有している。そして、この段付凹部２ｃを利用して簡易吊り金具３をセグメント１に係着させる。
【００２０】
簡易吊り金具３は、図１に示すように、第１のアーム３１と第２のアーム３２が軸部３３を支点としてはさみ型に交差する把持部を備えている。第１のアーム３１と第２のアーム３２は、それぞれ略Ｊ字形状を有する。ただし、第１のアーム３１の略Ｊ字形状先端部３１ａは、図１において右側を向き、第２のアーム３２の略Ｊ字形状先端部３２ａは、図１において左側を向いてさみ型に交差している。第１のアーム３１は、同一形状の２枚組からなり、この２枚は第２のアーム３２の板幅の間隔を隔てて（図２の断面図参照）平行状態でその板間を連結部材３１ｃにより固定されている。また、第１のアーム３１と第２のアーム３２は、略Ｊ字形状の曲面の内側部に緩衝部材５１，５２がそれぞれ設けられている。そして、緩衝部材５１，５２は、第１，第２のアーム３１，３２を閉じて重ねたときに段付凹部２ｃの入口部分と接合する。なお、緩衝部材５１，５２の硬度は、把持金物２の硬度より低いものとする。
【００２１】
把持部は、第１のアーム３１の先端部３１ａと第２のアーム３２の先端部３２ａとがなす先端部間の幅寸法が、第１，第２のアーム３１，３２を開いて交差したとき（図４参照）最小となり、第１，第２のアーム３１，３２を閉じて重ねたときに（図１参照）最大となる構成を有している。そして、第１，第２のアーム３１，３２を開いて交差した状態で、それぞれの先端部３１ａ，３２ｂを把持金物２の段付凹部２ｃに挿入し、第１，第２のアーム３１，３２を閉じて重ねた状態でそれぞれの先端部３１ａ，３２ｂを把持金物２の段付凹部２ｃに係着する。
【００２２】
また、簡易吊り金具３において、第１のアーム３１と第２のアーム３２は、被懸吊物を吊り下げる際に連結する連結孔３１ｂ，３２ｂをそれぞれ有し、それぞれの連結孔３１ｂ，３２ｂの中心は、第１，第２のアームを閉じて重ねたときに一致するように構成されている。
【００２３】
そして、連結孔３１ｂ，３２ｂには、図１および図３に示すように、シャックル４の軸部４１が挿入され、簡易吊り金具３とシャックル４が連結される。このシャックル４には、さらに、チェーンブロック（図示せず）などを取り付ける。
【００２４】
この実施の形態によれば、簡易吊り金具３をはさみ型としその先端部３１ａ，３２ａを雌型の把持金物の段付凹部２ｃで拡張し係着するといった簡単で丈を短くできる構成にすることができる。このように、構成が容易で、鉛直方向ではない斜め方向に明いている把持金物２の段付凹部２ｃに固定した場合でも、鉛直方向の力に折れ曲がる虞が小さい簡易吊り金具を提供することができる。
【００２５】
また、この実施の形態によれば、被懸吊物を吊り下げる際に連結する連結孔３１ｂ，３２ｂの中心が、第１，第２のアーム３１，３２を閉じて重ねたときに一致するように構成したことにより、それぞれの先端部３１ａ，３２ａを雌型の把持金物２の段付凹部２ｃで拡張して係着する際の位置決めが容易になる。また、重ねて一致した連結孔３１ｂ，３２
ｂにシャックル４の軸部４１を差し込むことによって、第１，第２のアーム３１，３２が閉じた状態から交差する状態に広がるのを防止することができる。
【００２６】
更に、この実施の形態によれば、第１，第２のアーム３１，３２側の緩衝部材５１，５２が、第１，第２のアーム３１，３２を閉じて重ねたときに段付凹部２ｃの入口部分と接合するように構成したことにより、鉛直方向ではない斜め方向に明いている把持金物２の段付凹部２ｃに固定した場合でも、鉛直方向の力による把持金物側の損傷を防止することができる。
【００２７】
更にまた、この実施の形態の簡易吊り金具３は、内面に把持金物用の雌金物が存在するだけで、連結用のボルト孔が設けられていないコッター・クイックジョイントセグメントやスライドコッターセグメントにおいて有効である。
【図面の簡単な説明】
【００２８】
【図１】本発明に係る簡易吊り金具の概略図である。
【図２】図１のＡ−Ａ断面図である。
【図３】図１の側面図である。
【図４】本発明に係る簡易吊り金具の概略図であり、その先端部を把持金物の段付凹部に挿入する状態を示す。
【図５】セグメントの外形図である。
【図６】把持金物の断面図である。
【図７】従来の吊り金具の概略図である。
【符号の説明】
【００２９】
１  セグメント
２  把持金物
２ｃ  段付凹部
３  簡易吊り金具
４  シャックル
３１  第１のアーム
３１ａ  先端部
３１ｂ  連結孔
３１ｃ  連結部材
３２  第２のアーム
３２ａ  先端部
３２ｂ  連結孔
５１，５２  緩衝部材
【図１】
2006214186.tif 000003
【図２】
2006214186.tif 000004
【図３】
2006214186.tif 000005
【図４】
2006214186.tif 000006
【図５】
2006214186.tif 000007
【図６】
2006214186.tif 000008
【図７】
2006214186.tif 000009